(57)【特許請求の範囲】
【請求項１】
切断されたパイプの端部を面取りするとともに、適正な形状に矯正するべく使用されるパイプの切断端部用の面取り矯正器具であって、
把持部と、
上記把持部から延設された略柱状の挿入部と、
上記パイプの切断端の内周縁を面取りする内側面取り部と、
を備え、
上記内側面取り部を上記挿入部の外周面上で上記把持部から離れた部位に設けることで、上記パイプの切断端が該パイプの軸に対して傾斜している場合に該切断端の先端が入り込むマージン部分が該内側面取り部と該把持部との間に設けられているとともに、
上記挿入部の外周面上には断面形状が山型をなすように複数の矯正リングが設けられており、上記挿入部の外周面で上記複数の矯正リングを除く部分には、縮径部が設けられている
ことを特徴とするパイプの切断端部用の面取り矯正器具。
【請求項２】
さらに上記パイプの切断端の外周縁を面取りする外側面取り部を備えており、
上記外側面取り部を上記内側面取り部の近傍で上記把持部から離れた部位に設けることで、上記パイプの切断端が該パイプの軸に対して傾斜している場合に該切断端の先端が入り込むマージン部分が該外側面取り部と該把持部との間に設けられている
請求項１に記載のパイプの切断端部用の面取り矯正器具。
【請求項３】
上記外側面取り部は、上記内側面取り部と相互に対向するように設けられている
請求項２に記載のパイプの切断端部用の面取り矯正器具。
【請求項４】
上記外側面取り部は、上記挿入部の外周面上から延設されている
請求項２又は請求項３に記載のパイプの切断端部用の面取り矯正器具。
【発明の詳細な説明】
【技術分野】
【０００１】
本発明は、切断によって変形したり、バリが形成されたりしたパイプの端部の面取りをするとともに、適正な形状に矯正するために使用される面取り矯正器具に関するものである。
【背景技術】
【０００２】
例えば、配管接続に用いられる管継手としては、パイプが内挿される受口部を備える管継手、パイプに内挿される挿口部を備える管継手、などが存在し、上記受口部や上記挿口部にはパイプの接続部分の止水性能を確保するためにパッキンが装着されていることがある。
通常、上記パイプは、ハサミ状のパイプカッター等によって所望の長さに切断されるが、該パイプの端部の切断面は、鋭利なものとなりやすく、またバリが形成されたりするので、切断したままの状態の該パイプの端部を上記管継手の受口部や挿口部に挿入すると、該パイプの切断端がパッキンに引っ掛かり、該パッキンがパッキン溝から離脱する等して外れることで、あるいは該切断端の鋭利な切断面によりパッキンが傷つけられてしまうことで、所定の止水性能を発揮出来なくなってしまうことがある。
更にパイプカッター等によるパイプの切断端は、切断時に押し潰されることで、非真円形状に変形することがあり、上記管継手の受口部や挿口部への挿入抵抗が大きくなったり、パイプとパッキンが均一に当接せずに止水性能が劣化したりするおそれがある。
そこで、特許文献１の管端修正器や特許文献２の管端修正具に示されるようなものが提供されている。
特許文献１の管端修正器は、パイプの切断端から内側へ、断面形状が略真円の挿入部（円形矯正軸）を押し込んで回転させることで、該パイプの断面形状を略真円形状に修正し、また挿入部の根端の把持部に突起を設けてその稜線部分で該パイプの切断端を内側および外側に押圧して変形せしめることによって面取りを行っている。特許文献２の管端修正具は、断面形状が略真円の挿入部（中管軸部）をパイプの切断端から内側へ押し込むとともに、該挿入部の根端に設けられたバイトをパイプの切断端の内側に当接させ、該バイトで切削することによって面取りを行っている。
【先行技術文献】
【特許文献】
【０００３】
【特許文献１】特開２００５−７６６３号公報
【特許文献２】特開２００９−１４２８７７号公報
【発明の概要】
【発明が解決しようとする課題】
【０００４】
ところが、上記従来の管端修正器にあっては上記パイプの切断端の内側を押圧する突起と、外側を押圧する突起とが対向する位置に配置されておらず、あるいは管端修正具にあってはバイトが該パイプの切断端の内側のみを切断するものであり、突起の稜線による押圧力やバイトの研削力が逃げやすく、有効に作用しにくい。このため上記管端修正器や上記管端修正具は、力を有効に作用させるべく、突起やバイトを挿入部の根端に設け、該挿入部をパイプへ押し込む際に該パイプの端部が該挿入部の根端から先へ進めないようにすることで、該根端で該パイプの端部を受け止めるように構成されている。
しかし、切断されたパイプの多くは、その切断端がパイプの軸に対して傾斜した斜め切りの状態となることが少なくなく、該切断端の尖鋭状となった先端が上記突起や上記バイトに接触してしまうと、該突起や該バイト（上記挿入部の根端）から先へ該パイプを進めることができず、該先端以外の部位で面取りが不充分になると云う問題があった。
【課題を解決するための手段】
【０００５】
本発明は、上記課題を解決するために、切断されたパイプの端部を面取りするとともに、適正な形状に矯正するべく使用されるパイプの切断端部用の面取り矯正器具であって、把持部と、上記把持部から延設された略柱状の挿入部と、上記パイプの切断端の内周縁を面取りする内側面取り部と、を備え、上記内側面取り部を上記挿入部の外周面上で上記把持部から離れた部位に設けることで、上記パイプの切断端が該パイプの軸に対して傾斜している場合に該切断端の先端が入り込むマージン部分が該内側面取り部と該把持部との間に設けられているとともに、上記挿入部の外周面上には断面形状が山型をなすように複数の矯正リングが設けられており、上記挿入部の外周面で上記複数の矯正リングを除く部分には縮径部が設けられているパイプの切断端部用の面取り矯正器具を提供するものである。
上記パイプの切断端部用の面取り矯正器具は、さらに上記パイプの切断端の外周縁を面取りする外側面取り部を備えており、上記外側面取り部を上記内側面取り部の近傍で上記把持部から離れた部位に設けることで、上記パイプの切断端が該パイプの軸に対して傾斜している場合に該切断端の先端が入り込むマージン部分が該外側面取り部と該把持部との間に設けられていることが望ましい。
また上記外側面取り部は、上記内側面取り部と相互に対向するように設けられていることが望ましく、上記挿入部の外周面上から延設されていることがより望ましい。
【発明の効果】
【０００６】
〔作用〕
本発明の面取り矯正器具は、切断されたパイプの端部からその内側へ、略柱状の挿入部を内挿しつつ、該挿入部を軸として把持部を回転させて使用する。該パイプの端部が非真円形状であった場合は、該挿入部が矯正リングの外周面を該パイプの内周面に接触させつつ該パイプを外側へ押し広げるように回転することで、該パイプの端部が略真円形状に修正される。更に、上記挿入部の外周面上に該矯正リングを複数突設することにより、パイプが安定に支持される。そして上記パイプの切断端が上記挿入部上に設けられた内側面取り部に達した時、該内側面取り部によって該切断端の内周縁が面取りされる。
また挿入部の外周面で上記矯正リングを除く部分に縮径部が設けられているので、上記パイプと上記挿入部との接触部分が上記縮径部を除く部分、つまり上記矯正リングの部分に限られるから、上記パイプと上記挿入部との接触面積が小さくなり、パイプ端部の形状修正を可能としつつも、パイプ端部に挿入部を挿入する力と把持部を回転させる力とを軽減することができる。
そして、本発明の面取り矯正器具にあっては、上記内側面取り部を上記挿入部の外周面上で上記把持部から離れた部位に設けることで、該内側面取り部と該把持部との間にはマージン部分が設けられている。このため、上記パイプの切断端が該パイプの軸に対して傾斜している場合、該切断端の先端は該マージン部分に入り込むので、上記パイプの切断端の形状の矯正時に該先端が上記把持部に当たらず、該パイプの推進が妨げられない。結果、上記パイプにおいて、切断端の内周縁の全周を上記内側面取り部に接触させることができ、面取り作業を好適に行うことができる。
また外側面取り部を設けることで、切断端の外周縁も面取りすることが出来るとともに、上記マージン部分を上記外側面取り部と上記把持部との間にも設けることで、切断端の外周縁の全周を上記外側面取り部に接触させることができ、面取り作業を良好に行うことができる。
また上記外側面取り部は、上記内側面取り部と相互に対向するように設けられることで、面取りのための力を上記外側面取り部及び上記内側面取り部から上記パイプの切断端へ逃がすことなく有効に加えることができる。
また上記外側面取り部は、上記挿入部の外周面上から延設されることで、簡易な設計で設けることができる。
【０００７】
〔効果〕
本発明にあっては、パイプの切断端が該パイプの軸に対して傾斜している場合であっても該切断端の面取りを好適に行うことが出来る。
【図面の簡単な説明】
【０００８】
【図１】実施形態の面取り矯正器具を示す側面図。
【図２】面取りプレート付近の詳細側面図。
【図３】面取りプレート付近の詳細平面図。
【図４】パイプの切断面の先端部分を面取りする場合の説明図。
【図５】パイプの切断面の奥端部分を面取りする場合の説明図。
【図６】面取り状態の詳細説明図。
【図７】面取り前のパイプ端部の側断面図。
【図８】面取り後のパイプ端部の側断面図。
【発明を実施するための形態】
【０００９】
以下、本発明の面取り矯正器具を具体化した実施形態について説明する。
図１に示すように、面取り矯正器具１は、把持部２と、該把持部２の一面である基面３から差し出された柱状の挿入部４と、を備えている。
上記把持部２は、円盤状に形成されており、その周面には該把持部２を握りやすくするための凹部が形成されている。
上記挿入部４は、断面形状が円形状の柱状、つまり円柱状に形成されている。該挿入部４においては、その両端のうち上記把持部２側の一端を根端、他端を先端とする。
なお、本発明において上記把持部２の形状は、特に限定されるものではなく、例えば矩形状、棒状、平面視で三角形状、四角形状、五角形状、六角形状等の多角形状としてもよい。また上記挿入部４の形状は、パイプ内に挿入可能な柱状であれば、特に限定されるものではなく、その断面形状が例えば三角形状、四角形状、五角形状、六角形状等の多角形状であってもよく、また内部が中空の柱状、つまりは筒状としてもよい。
上記面取り矯正器具１の使用対象となるパイプとしては、ポリエチレン、ポリプロピレン、架橋ポリエチレン、ポリブテン等のポリオレフィン、オレフィン系エラストマー、スチレン系エラストマー等のエラストマー、あるいは上記ポリオレフィン層や上記エラストマー層にアルミニウム薄板等の金属薄板を内設させた複合材料からなる可撓性を有するパイプが対象とされる。
【００１０】
上記挿入部４の外周面上には、第１矯正リング６及び第２矯正リング７の計二個の矯正リングが突設されることにより、該挿入部の外周面でこれら第１矯正リング６及び第２矯正リング７を除く部分に、縮径部が設けられている。具体的に本実施形態では、挿入部４の外周面上で、（１）該第１矯正リング６よりも先端部分、（２）該第１矯正リング６と第２矯正リング７との間の部分、（３）該第２矯正リング７よりも根端部分、の合計３つの縮径部が設けられている。
上記第１矯正リング６は、上記挿入部４の外周面上で先端側の部位に突設されている。該第１矯正リング６は、上記挿入部４の軸線に沿う面における断面形状が山型をなすように、上記挿入部４の外周面から突設されている。また該第１矯正リング６の断面形状は、上記挿入部４の先端側となる半部（先端半部）と、上記挿入部４の根端側となる半部（根端半部）とで非対称になっており、該先端半部の外面６Ａは、根端半部の外面に比べて緩斜面とされている。
上記第２矯正リング７は、上記挿入部４の外周面上で根端側の部位に突設されている。該第２矯正リング７は、上記挿入部４の軸線に沿う面における断面形状が山型をなすように、上記挿入部４の外周面から突設されている。また該第２矯正リング７の断面形状は、先端半部と、根端半部とで対称になっている。
また上記挿入部４の根端部には、斜面部８Ａを介して大径部８が拡径形成されている。
なお上記矯正リングを設ける個数は、二個に限定されるものではなく、三個以上の矯正リングを設けてもよい。また本実施形態のように、同じ高さの矯正リングを二個以上設ける場合、パイプ９が該矯正リングによって安定に支持されるという効果を奏する。
【００１１】
図２に示すように、上記挿入部４の外周面上において、上記把持部２から離れた部位であり、さらに上記大径部８（斜面部８Ａ）から所定の間隔を置いて先端寄りの部位には、上記パイプ９の切断端の内周縁を面取りする内側面取り部１１が突設されている。該内側面取り部１１は、上記挿入部４の外周面の一部箇所のみから突出され、平面視で三角形状をなすように形成されている（図３参照）。
上記挿入部４の外周面上からは、上記把持部２から離れた部位である上記大径部８から上記内側面取り部１１の直近位置までの範囲において、薄板状のプレート１２が外方へ延設されている。該プレート１２は、上記内側面取り部１１を内側に囲むように、先端部がＬ字状に切り欠かれており、この切り欠かれた内側は、上記パイプ９の切断端が押し込まれる押込部１２Ａとされている（図４〜図６参照）。
上記押込部１２Ａの内側面において、上記内側面取り部１１の対向位置には、外側面取り部１３が設けられている。
上記押込部１２Ａの内側面において、上記内側面取り部１１の把持部２側の端部と、外側面取り部１３の把持部２側の端部との間には、該押込部１２Ａに押し込まれた上記パイプ９の切断端面と摺接する端面摺接部１４が設けられている。
【００１２】
上記内側面取り部１１及び上記外側面取り部１３は、側面視で三角形状に形成されている。図３に示すように、該内側面取り部１１の稜線１１Ａは、エッジ状とされている。なお該外側面取り部１３もまた、稜線１３Ａは、エッジ状とされている。
上記したように、内側面取り部１１は、上記把持部２から離れた部位に配置されている（図２参照）。そして、該内側面取り部１１と上記把持部２との間には、上記パイプ９の切断端の先端が入り込むマージン部分１５が設けられている。また上記外側面取り部１３は、上記内側面取り部１１の対向位置に設けられているため、該外側面取り部１３と上記把持部２との間にも、上記内側面取り部１１と同様のマージン部分１５が設けられている。具体的に本実施形態でマージン部分１５は、端面摺接部１４の先端から、上記斜面部８Ａの外周面上で上記第２矯正リング７の頂部から上記挿入部４に沿って伸びる延長線が当たる位置までの範囲に設定されている（図２参照）。
【００１３】
上記面取り矯正器具１を使用してパイプの切断端部を適正な形状に矯正する際は、まず上記挿入部４の先端が、該パイプの切断端部の内側に挿入される。
次いで、該パイプを手などで支持した状態で、上記把持部２を片手で把持しながら該挿入部４の軸線を中心に回転させつつ、該挿入部４の略全体が該パイプの内側に挿入されるように、該パイプの切断端部と上記把持部２とを相互に接近させる。
上記のように該挿入部４を、その軸線を中心に回転させつつ、略全体を該パイプの内側に挿入する過程で、該パイプの切断端部は、該挿入部４上の上記第１矯正リング６の緩斜面からなる外面６Ａを乗り越えつつ、該第１矯正リング６を通過することで、その形状が略真円状に矯正されてゆく。
さらに該挿入部４を、その軸線を中心に回転させつつ、略全体を該パイプの内側に挿入する過程で、該パイプの切断端は、上記プレート１２の上記押込部１２Ａに達する。該パイプの切断端は、上記押込部１２Ａに押し込まれつつ、その内周縁が上記内側面取り部１１の稜線に摺動されることで押し潰され、また外周縁が上記外側面取り部１３の稜線に摺動されることで押し潰されて、面取りが行われる。さらに該パイプの切断端面が上記端面摺接部１４に摺接されることで、該切断端面のバリや凹凸なども押し潰される。
上記面取りにおいては、上記内側面取り部１１と上記外側面取り部１３とが相互対向して配置されているから、該内側面取り部１１が内周縁に加える力と、該外側面取り部１３が外周縁に加える力とが相拮抗してパイプの切断端に効率よく作用するので、面取りが効果的に行われる。
【００１４】
上記パイプの切断端が、該パイプの軸線に対して垂直ではなく斜めになっている場合について説明する。
図４に示すように、パイプ９の切断端９Ａにおいて、先端部分９１Ｂが上記プレート１２の上記押込部１２Ａに押し込まれた状態にある場合は、該先端部分９１Ｂの内周縁及び外周縁が、内側面取り部１１及び外側面取り部１３に接触する。
上記の状態のまま、上記挿入部４を、その軸線を中心に回転させつつ、略全体を該パイプ９の内側に挿入すると、該挿入部４が該パイプ９の内側を回転しながら推し進む際に、図５に示すように、該パイプ９の先端部分９１Ｂは、上記マージン部分１５へ至る。
該マージン部分１５においては、上記したように把持部２が上記内側面取り部１１及び上記外側面取り部１３から離れた位置にあるので、該切断端９Ａの先端部分９１Ｂが把持部２等に（本実施形態であれば大径部８の斜面部８Ａ）当接するまで、該挿入部４が該パイプ９の内側へ推し進むことを阻害する障害は無い。
そして、該挿入部４が該パイプ９の内側を回転しながら推し進むことに伴い、該パイプ９の切断端９Ａは、その先端部分９１Ｂから奥端部分９２Ｂの全周にわたって面取りが行われる。
【００１５】
なお、上記プレート１２の上記押込部１２Ａに上記パイプ９の切断端９Ａの奥端部分９２Ｂが最初に押し込まれた状態（つまり図５に示す状態）から面取りが行われる場合は、該挿入部４の回転によって該奥端部分９２Ｂから切断端９Ａの先端部分９１Ｂに至る過程で、該挿入部４が該パイプ９の内側から抜け出す方向へ若干移動することで、上記と同様に全周にわたって面取りが行われる。
また図６に示すように、上記挿入部４の軸線ＡＸに対する垂直面に対して上記パイプ９の切断面９Ｂが角度θだけ傾いていたとすると、パイプ９の外径をｄとすれば、斜めになった切断端９Ａの長さΔＬ＝ｄ・ｔａｎθであり、マージン部分１５の長さはΔＬ以上（≧ΔＬ）に設定することが望ましい。
【００１６】
上記のようにして、図７に示すように、パイプ９の切断端９Ａがパイプ９の軸線ＡＸ’に対し斜めになっている場合でも、上記面取り矯正器具１によって内周縁及び外周縁を面取りされた結果、図８に示すように、パイプ９の切断端９Ａの全周にわたって面取り部分９１Ｃ，９２Ｃが形成される。
【００１７】
本発明は上記した実施形態の構成に限定されるものではなく、以下のように実施形態の構成を変更してもよい。
上記面取り矯正器具１に使用する材料は、合成樹脂や金属等、特に限定はされないが、生産性を高めるという観点から合成樹脂である熱可塑性樹脂を用いることが好ましく、熱可塑性樹脂のなかでもポリアセタールは、耐摩耗性に優れ、パイプ９に対する摺動性を向上させることが出来るため、面取り矯正器具１に使用する材料としてより好ましい。
上記挿入部４の外周面上に第１矯正リング６及び第２矯正リング７を突設して縮径部を形成することに限らず、該挿入部４の外周面上に環状溝を凹設して縮径部を形成してもよい。
上記内側面取り部１１と、上記外側面取り部１３とは、必ずしも上記挿入部４上で相互対向する部位に設けられることに限らず、互いに離れた位置に設けてもよい。すなわち上記実施形態では、上記プレート１２を上記内側面取り部１１の直近位置から延設し、上記内側面取り部１１を内側に囲むように該プレート１２の先端部に上記押込部１２Ａを切り欠き形成し、該押込部１２Ａの内側縁の一部を外側面取り部１３としている。これに対し、例えば上記外側面取り部１３が設けられた上記プレート１２を、上記内側面取り部１１の直近位置から上記挿入部４の周方向へずらした位置に設けてもよい。
上記外側面取り部１３は、必ずしも上記挿入部４から延設されたプレート１２に設ける必要はなく、例えば上記プレート１２に代えて上記把持部２の基面３や上記大径部８の斜面部８Ａから柱状の支持体を上記挿入部４と平行に差し出し、該支持体の先端に外側面取り部１３を形成してもよい。また該支持体を上記内側面取り部１１と対応するように設けることで、上記外側面取り部１３を上記内側面取り部１１と相互対向する位置に設けることができ、あるいは該支持体を上記内側面取り部１１に対して上記挿入部４の周方向へずらした位置から差し出し、該支持体の先端に上記外側面取り部１３を設けてもよい。
上記内側面取り部１１と、上記外側面取り部１３とは、必ずしも両方を設ける必要はなく、少なくとも内側面取り部１１が設けられていれば、上記外側面取り部１３を省略してもよい。
【産業上の利用可能性】
【００１８】
本発明にあっては、パイプの切断端を全周にわたって確実かつ容易に面取りを行うことが出来る。面取りされたパイプは、パッキンが装着されている受口部にも円滑に接続することが出来るから、産業上の利用可能性がある。
【符号の説明】
【００１９】
１      面取り矯正器具
２      把持部
４      挿入部
６      第１矯正リング
７      第２矯正リング
９      パイプ
９Ａ    切断端
１１    内側面取り部
１３    外側面取り部
１５    マージン部分
【図１】
0005799447.tif 000002
【図２】
0005799447.tif 000003
【図３】
0005799447.tif 000004
【図４】
0005799447.tif 000005
【図５】
0005799447.tif 000006
【図６】
0005799447.tif 000007
【図７】
0005799447.tif 000008
【図８】
0005799447.tif 000009